(57)【要約】      （修正有）【課題】棺や遺骨を搬送する際、取り違い等のミスを確実に防いで火葬の儀式を円滑に行うための、棺及び遺骨の誤認防止装置を提供すること。【解決手段】複数の火葬炉２などから構成される斎場１において、棺９や遺骨を搬送する台車１２，１３の運行計画を記憶しているコンピュータ１１と、各台車に取り付けられ且つ運行計画を送信器１５を介して受け取ることのできる端末器１４と、コンピュータ１１及び端末器１４から発せられる信号を双方向に伝達するため火葬炉２と各部屋３，４に設置される交信器１６と、から構成され、台車が各々の交信器に接近した場合、交信器１６が台車１２，１３のＩＤコード信号を読み取ってコンピュータ１１に送信し、このＩＤコード信号が運行計画と不一致である場合、当該台車１２，１３の端末器１４に向けて警告信号を発し、その警告信号を受信した端末器は、警報を発して係員１０に知らせることで誤認を防止できる。【選択図】図１
2006215727.tif 000002
【特許請求の範囲】
【請求項１】
少なくとも複数の火葬炉（２）から構成され、棺及び遺骨の搬送に台車（１２，１３）を使用する斎場において、
各台車（１２，１３）の運行計画を記憶しているコンピュータ（１１）と、
各台車（１２，１３）に取り付けられ且つ前記運行計画を送信器（１５）を介して受信して表示することのできる端末器（１４）と、
コンピュータ（１１）及び端末器（１４）からの信号を双方向に伝達するため少なくとも各火葬炉（２）に設置される交信器（１６）と、
を備えており、
前記端末器（１４）は、当該台車（１２，１３）に付与されているＩＤコード信号が発信可能になっており、該ＩＤコード信号を発する台車（１２，１３）が各々の交信器（１６）の受信領域内に入った際、前記各交信器（１６）は当該ＩＤコード信号を受信して前記コンピュータ（１１）に送信し、一方コンピュータ（１１）は、受信したＩＤコード信号が前記運行計画と不一致である場合、前記交信器（１６）を介して当該台車（１２，１３）の端末器（１４）に警告信号を発し、その警告信号を受信した該端末器（１４）は、警報を発して知らせることが可能な棺および遺骨の誤認防止装置。
【請求項２】
複数の火葬炉（２）から構成され、棺及び遺骨の搬送に台車（１２，１３）を使用する斎場において、
各台車（１２，１３）の運行計画を記憶しているコンピュータ（１１）と、
各台車（１２，１３）に取り付けられ且つ前記運行計画を送信器（１５）を介して受信して表示することのできる端末器（１４）と、
コンピュータ（１１）及び端末器（１４）からの信号を双方向に伝達するため各火葬炉（２）に設置される交信器（１６）と、
火葬炉（２）前面の扉（２３）を開放不能に閉鎖できる扉開閉装置（２４）と、
を備えており、
前記端末器（１４）は、当該台車（１２，１３）に付与されているＩＤコード信号が発信可能になっており、該ＩＤコード信号を発する台車（１２，１３）が各々の交信器（１６）の受信領域内に入った際、前記各交信器（１６）は当該ＩＤコード信号を受信して前記コンピュータ（１１）に送信し、一方コンピュータ（１１）は、受信したＩＤコード信号が前記運行計画と不一致である場合、前記交信器（１６）を介して当該台車（１２，１３）の端末器（１４）に警告信号を発し、その警告信号を受信した該端末器（１４）は、警報を発して知らせるとともに、コンピュータ（１１）から当該火葬炉（２）の扉開閉装置（２４）に指令を送り、扉（２３）を開放不能に閉鎖することが可能な棺および遺骨の誤認防止装置。
【発明の詳細な説明】
【技術分野】
【０００１】
本発明は、斎場において一連の儀式が円滑に行われるために用いられる、棺および遺骨の誤認防止装置に関する。
【背景技術】
【０００２】
火葬炉を備えている斎場では、建物正面の車寄せに霊柩車が到着すると、係員は専用の台車を伴って棺を迎えに行き、告別室に棺を搬送して告別式を行う。告別式が終ると棺は、複数並んでいる火葬炉の扉の前まで運ばれて、何れか一つの扉を開けて棺を火葬炉内に差し入れて火葬が行われる。火葬が終わると、収骨のための台車が火葬炉の扉の前まで向かい、扉を開けて遺骨を台車に乗せて収骨室に運び、収骨室で親族が遺骨を骨壷に収める。
【０００３】
斎場では、１日に何人もの火葬が行われ、同時進行で複数の火葬が行われることもある。火葬炉は横並びに複数設けてあるが、全く同じ形の扉が幾つも並んでおり、さらに遺骨は他人のものと見分けが付かないため、遺族の中には遺骨の取り違いが起きるのではないかと心配する人もいる。そのような心配を払拭するため、斎場の係員は故人の氏名を都度確認するなどの対策を古くから行っている。
【発明の開示】
【発明が解決しようとする課題】
【０００４】
斎場では電話などで儀式の依頼を受け付けており、一日ごとに火葬炉や告別室などの割り当てを決めた計画を作成しており、係員はこれを見ながら作業を進めて行く。ただし参列者など多くの人々の目に付く場所に計画を提示する訳にはいかないので、ある程度は係員の記憶に頼る部分がある。そして火葬炉は、前記のように同じ形の扉が並んでいるため、当初の計画とは異なる火葬炉に棺を搬入したり、同様に異なる火葬炉の遺骨を回収するといった誤認が発生する恐れがある。このような遺骨の取り違いは、人の一生を締めくくる重要な儀式において、決してあってはならないことだが、係員の記憶と注意力だけに依存した方法では、誤認を完全に防止できる保障はなかった。さらに火葬に先立って告別式を行う告別室や、遺骨を骨壺に納める収骨室についても、複数を備えている斎場が多く、これらの部屋に棺や遺骨を搬入する際、予定とは異なる部屋に入ってしまう恐れがある。
【０００５】
本発明はこうした実情を基に開発されたもので、棺や遺骨を搬送する際、取り違い等のミスを確実に防いで火葬の儀式を円滑に行うために有効な、棺および遺骨の誤認防止装置の提供を目的としている。
【課題を解決するための手段】
【０００６】
前記の課題を達成するための請求項１記載の発明は、少なくとも複数の火葬炉から構成され、棺及び遺骨の搬送に台車を使用する斎場において、各台車の運行計画を記憶しているコンピュータと、各台車に取り付けられ且つ前記運行計画を送信器を介して受信して表示することのできる端末器と、コンピュータ及び端末器からの信号を双方向に伝達するため少なくとも各火葬炉に設置される交信器と、を備えており、前記端末器は、当該台車に付与されているＩＤコード信号が発信可能になっており、該ＩＤコード信号を発する台車が各々の交信器の受信領域内に入った際、前記各交信器は当該ＩＤコード信号を受信して前記コンピュータに送信し、一方コンピュータは、受信したＩＤコード信号が前記運行計画と不一致である場合、前記交信器を介して当該台車の端末器に警告信号を発し、その警告信号を受信した該端末器は、警報を発して知らせることが可能な棺および遺骨の誤認防止装置である。
【０００７】
ここで本発明の対象になる斎場は、複数の故人の儀式を同時に行える規模であり、数基の火葬炉を備えていることが必須条件である。また告別式を執り行う告別室や、遺骨を収めるための収骨室についても、使用する部屋の誤認を防止するために本発明を利用できる。斎場内において棺や遺骨は、それぞれ専用の台車で搬送され、台車の移動時は常に斎場の係員が同伴しており、斎場に到着してから火葬炉に向かうまでの間は、同一の台車が通して使用される。当然ながら棺用と収骨用の台車は、それぞれが複数台用意されている。そして本発明は大別して、端末器と、コンピュータと、交信器と、から構成されている。
【０００８】
コンピュータは斎場内に設置され各種情報の管理を行うもので、これに故人の氏名や式の日時などを入力すると、火葬炉や告別室が割り当てられ、これら一連の情報がデータベースに記憶される。本発明では火葬炉などの割り当てと同時に、棺や遺骨の搬送に使用される台車も指定され、台車に付与されているＩＤコードもデータベースに記憶される。さらにコンピュータは、データベースを基に、個々の台車について、使用時間と移動場所を定めた運行計画を自動的に作成する。
【０００９】
端末器は台車と一体になっており、電波などを用いて情報の送受信を行うため、通信機能を備えており、さらに個々の台車を識別できるよう割り振られたＩＤコードは、それぞれの端末器に記憶されている。そして端末器の電源が投入されている間、このＩＤコードを載せた信号が、通信機能を介して常に外部に送信されている。また同伴する係員に情報を提供するため、液晶パネルなどを用いたモニタを備えており、当該台車の運行計画を表示できる。この運行計画は、始業時などにコンピュータから送信器に送られ、送信器から電波などを介して全ての端末器に伝達される。
【００１０】
交信器は、個々の火葬炉のほか必要に応じて個々の部屋に設置されるもので、コンピュータとネットワークで結ばれており、いずれかの交信器に接近してきた端末器から送信されたＩＤコードを受信すると、これをコンピュータに転送する機能を備え、またコンピュータからの信号を端末器に向けて送信する機能を備えている。つまりコンピュータと端末器との間で交わされる信号を中継する役割がある。なお交信器は、火葬炉や部屋に接近する台車の検出ができるよう、火葬炉の前面や部屋の入口付近に設置することが望ましい。
【００１１】
いずれかの台車が、いずれかの交信器に接近して、台車の端末器から送信されるＩＤコード信号が交信器の受信領域内に入ると、これを交信器が受信して、コンピュータにそのＩＤコードが通知される。コンピュータは、ＩＤコードから運行計画を参照して、台車が予定通りの火葬炉または部屋に接近しているのかを判断する。この判断基準は、台車の運行順序や時刻などを基にするが、時刻についてはある程度の誤差を許容する。そこで不正な接近と判断された場合、交信器を介して端末器に向けて警告信号を発する。端末器は、自らのＩＤコードに向けて送られる警告信号を常時監視しており、実際に警告信号を受け取った場合、警報を発して係員に知らせることができる。この警報はモニタに何らかのメッセージを表示したり、音を鳴らすという方法が挙げられるが、形態は自在に選択できる。なお受信領域とは、火葬炉や部屋に接近した台車のＩＤコード信号だけが確実に感知でき、他の遠方にある台車のＩＤコード信号が感知できない範囲を指している。
【００１２】
送信器から端末器への運行計画の送信、および交信器と端末器との間の信号の送受信は、信頼性が確保されるならば、電波や赤外線のほか超音波など、様々な方式が使用可能で、特定の方式に限定されることはない。
【００１３】
このように構成することで、台車に固定された端末器のモニタに運行計画が表示されるため、係員が事前に日程を記憶したり確認する必要がなくなり、さらに予定とは異なる火葬炉や部屋に台車を接近させた場合、この誤接近を検出して係員に素早く知らせることが可能になり、ミスを防止できる。
【００１４】
次に請求項２記載の発明は、複数の火葬炉から構成され、棺及び遺骨の搬送に台車を使用する斎場において、各台車の運行計画を記憶しているコンピュータと、各台車に取り付けられ且つ前記運行計画を送信器を介して受信して表示することのできる端末器と、コンピュータ及び端末器からの信号を双方向に伝達するため各火葬炉に設置される交信器と、火葬炉前面の扉を開放不能に閉鎖できる扉開閉装置と、を備えており、前記端末器は、当該台車に付与されているＩＤコード信号が発信可能になっており、該ＩＤコード信号を発する台車が各々の交信器の受信領域内に入った際、前記各交信器は当該ＩＤコード信号を受信して前記コンピュータに送信し、一方コンピュータは、受信したＩＤコード信号が前記運行計画と不一致である場合、前記交信器を介して当該台車の端末器に警告信号を発し、その警告信号を受信した該端末器は、警報を発して知らせるとともに、コンピュータから当該火葬炉の扉開閉装置に指令を送り、扉を開放不能に閉鎖することが可能な棺および遺骨の誤認防止装置である。
【００１５】
ここで扉開閉装置は、個々の火葬炉に設置されるもので、扉を故意に開こうとしても、これを防止できる機能を備えている。そしてこの機能を遠隔操作できるよう、扉開閉装置はコンピュータとネットワークで接続されている。もし台車が予定とは異なる火葬炉に接近した場合、請求項１記載の発明と同様、コンピュータが事態を把握して、端末器から係員に向けて警告が発せられ、同時に本発明のように当該火葬炉の扉開閉装置に指令を送り、扉を開放できないようにする。このように構成することで、台車を予定とは異なる火葬炉に接近させた場合、火葬炉の扉が開かないため誤認を確実に防止できる。
【発明の効果】
【００１６】
請求項１記載の発明のように、モニタを装備した端末器を台車に取り付けることで、故人の氏名や使用する火葬炉とその時刻などの情報を係員がいつでも確認できるため、記憶に依存することなく確実に計画を把握でき、棺を載せた台車が所定の火葬炉に向かい、また火葬終了後には所定の台車が所定の火葬炉に向かい遺骨を回収するため、遺骨の取り違いという不測の事態の発生を防止できる。しかも係員がモニタの表示を見誤った場合でも、この事態をコンピュータが把握して、交信器から警告信号を発して、これを受信した端末器から、モニタ表示や音などを用いて警報を発することができるため、係員は誤認に気づいて正しい対処が可能になる。なお火葬炉以外に、告別室や収骨室の入口にも交信器を備えておくと、計画とは異なる部屋に棺や遺骨を搬送しようとした場合にも、警報を発して係員に誤認を認識させて、正しい対処が可能になる。
【００１７】
請求項２記載の発明のように、棺を搬送してくる台車や、遺骨を搬送していく台車が計画とは異なる火葬炉に接近した場合、火葬炉の扉を開放不能に閉鎖することで、係員の不確かな記憶や思い込みによる遺骨の取り違いを完全に防止でき、遺族に何らの不快感も与えずに、人生の終焉の場にふさわしい尊厳さと品位を保ちながら一連の儀式を進行できる。
【発明を実施するための最良の形態】
【００１８】
図１は、本発明による斎場１の構成例を示す平面図である。この斎場１は、正面に出入口が設けられ、この前には霊柩車８などを止めるための車寄せ７があり、建物内には四基の火葬炉２が据え付けられており、これらを同時に使用することが可能で、この火葬炉２の対面には、火葬に先立って告別式を行うための告別室３が二室確保されている。なお告別室３は、車寄せ７側の入口から棺９を搬入して、火葬炉２側の出口から棺９を搬出するという、矢印のような一方通行になっている。また火葬が終わった遺骨を骨壺に収めるための収骨室４も二室確保されており、二名の故人の儀式を同時に進行することも可能である。そのほか斎場１内には、棺９や遺骨を搬送する台車１２，１３を留置する保管庫５や、事務手続きや係員１０の打ち合わせなどに使用される事務室６が確保されている。
【００１９】
台車は、棺９の搬送だけに使用される棺用の台車１２と、遺骨の搬送だけに使用される収骨用の台車１３の二種類が用意されており、いずれも電動機が組み込まれており、係員１０の同伴によって自在に移動が可能で、夜間などは一括して保管庫５の中に留置される。そして各台車１２，１３には、電波を介して外部と通信できる端末器１４が固定されており、この端末器１４には情報を係員１０に知らせるため、液晶パネルを用いたモニタ２０が組み込まれている。また台車１２，１３を個別に識別できるよう、第一号、第二号といったようなＩＤコードが全ての端末器１４に割り振りされている。棺用の台車１２は、霊柩車８が到着すると棺９を受け取りに行き、棺９を載せたまま告別室３で告別式が行われ、その後に火葬炉２まで棺９を搬送する。また収骨用の台車１３は、火葬の終わった火葬炉２に行き、ここで遺骨が載せられて収骨室４までの搬送に使用される。
【００２０】
事務室６内には、斎場１に関する事務手続きを統括しているコンピュータ１１が配備されており、葬儀社から儀式の依頼を受けると、故人に関する情報を入力していき、火葬炉２などの割り当てや時間の調整など、業務の手順を決定する。また保管庫５には、端末器１４に情報を電波で送信するための送信器１５が設置されているが、この情報はコンピュータ１１で作成されるため、送信器１５とコンピュータ１１は専用線で結ばれている。さらに個々の火葬炉２の前面および告別室３と収骨室４の入口には、電波の送受信を行う交信器１６が設置されており、台車１２，１３の端末器１４からの情報を受信したり、端末器１４に向けて情報を送信したり、が可能である。
【００２１】
図２は、コンピュータ１１で管理される儀式に関する情報の例を示している。葬儀社から儀式の依頼を受けると、係員は、コンピュータ１１に故人や喪主の氏名などの一連の情報を入力していき、必要に応じて時刻の調整が行われる。図２（Ａ）は、ある一日に行われる儀式の一覧情報が記憶されているデータベースを示しており、故人の氏名を基準にして、斎場に到着する時刻や割り当てされた火葬炉２とその使用時刻など、必要となる全ての情報が記憶されている。そして棺９や遺骨が搬送時に誤認されることを防止するため、使用される台車１２，１３も事前に決められており、そのＩＤコードが登録されている。なお台車１２，１３は、棺用と収骨用のいずれも三台が使用されるが、ＩＤコードは両方を通して割り振られている。
【００２２】
図２（Ｂ）は、図２（Ａ）のデータベースから棺用の台車１２の運行を抽出して、台車１２のＩＤコードを基準として構成された運行計画である。また図２（Ｃ）は、収骨用の台車１３について、同様に構成された運行計画である。このように台車１２，１３は、一日のうちに複数の故人に使用される場合があり、その行き先も様々である。
【００２３】
図３は本発明の概要を示しており、図３（Ａ）は装置の構成であり、図３（Ｂ）は台車１２，１３の構成である。コンピュータ１１は、送信器１５と交信器１６と扉開閉装置２４と、に接続されて情報の伝達が可能であり、送信器１５や交信器１６は、コンピュータ１１からの指令で所定の情報を電波に載せて送信することができ、さらに交信器１６は、台車１２，１３の端末器１４から送信されたＩＤコード信号を受信して、それをコンピュータ１１に通知することもできる。送信器１５は、図１に示すように台車１２，１３などを格納するための保管庫５に設置されており、交信器１６は、各火葬炉２の前面や各部屋３，４の入口に設置されている。また扉開閉装置２４は、火葬炉２の扉２３の開閉を司る装置であり、ボタン操作によって扉２３の開閉を自動で行えるほか、扉２３を閉鎖状態に維持できる機能を備えている。一方、台車１２，１３の端末器１４は、モニタ２０と通信部１７と管理部１９と記憶部１８と、から構成され、通信部１７は電波の送受信を行う役割があり、記憶部１８は各種情報を蓄積する役割があり、モニタ２０は係員１０へ情報を伝える役割があり、視認性を確保するため上面に設置され、管理部１９は全体を統括する役割がある。端末器１４は、電源が投入されている間、通信部１７によって自らのＩＤコードが載せられた電波（ＩＤコード信号）を常時送信しており、また飛び交う電波を常時監視しており、自らのＩＤコードに向けたものを受信した場合、所定の対応を行う。
【００２４】
コンピュータ１１は、前日までに受け付けられた儀式の予約を基に、当日の始業時、図２（Ａ）のような一日の予定が記憶されたデータベースを作成して、これを用いて各台車１２，１３の運行計画も作成する。この運行計画は始業時、図３（Ａ）のように送信器１５から全ての台車１２，１３に向けて送信され、端末器１４は自らのＩＤコードに向けて送信された情報だけを記憶部１８に蓄積する。なお送信器１５は図１のように、始業時に台車１２，１３が格納されている保管庫５に設置するのが最適だが、斎場１の規模によっては受信漏れを防ぐため複数の送信器１５を設置する場合もある。また端末器１４は、図３（Ｂ）のように台車１２，１３の端部に、係員１０と対面するように設置され、上面のモニタ２０を容易に視認できる。
【００２５】
図４は、端末器１４に設置されたモニタ２０の表示例を示すもので、図４（Ａ）は棺用の台車１２の場合で、図４（Ｂ）は収骨用の台車１３の場合である。始業時に送信器１５から送られた情報は、現在時刻と共に表示されており、これを見るだけで当日の運行が容易に把握できる。なおモニタ２０の周辺には、電源の入切や操作のためのスイッチ２１やスピーカ２２が設置されている。
【００２６】
図５は、図１に示す斎場１に配置されたコンピュータ１１と交信器１６などの構成を示すものである。交信器１６は、計四基の火葬炉２の全てと、二つの告別室３、二つの収骨室４の全ての入口に設置されており、さらに火葬炉２については、扉２３の開閉のための扉開閉装置２４を備えている。一方の台車１２，１３の端末器１４は、電源が投入されると自らのＩＤコードが載せられたＩＤコード信号を常時送信しており、交信器１６は常時この電波の受信を試みている。ただしこの電波は微弱で指向性もあるため、台車１２，１３が一定距離（受信領域）まで交信器１６に接近した上で、双方が対面している場合のみ受信されるため、台車１２，１３が遠方にある時や近傍を通過するだけでは受信されない。交信器１６が端末器１４からの電波を受信すると、当該のＩＤコードがコンピュータ１１に通知され、次にコンピュータ１１は、ＩＤコードとこれを受けた交信器１６を基に運行計画を参照して、台車１２，１３が正規の火葬炉２や部屋３，４に接近しているのか判断を行う。
【００２７】
図６は、棺用の台車１２が火葬炉２に接近した際の状態を示すもので、図６（Ａ）は状況を示す側面図で、図６（Ｂ）は端末器１４のモニタ２０の表示例である。告別式が終わると棺９を載せた台車１２は、係員１０によって火葬炉２の前に移動して、端末器１４を交信器１６に対面させながら近づけていくと、交信器１６は図６（Ａ）のように、接近した台車１２のＩＤコード信号を読み取って、これをコンピュータ１１に転送する。次にコンピュータ１１は、運行計画通りの火葬炉２に接近しているかを判断して、予定通りであれば何らの対処もしないが、異なる火葬炉２に台車１２が接近した、というような誤認があった場合、これを係員１０に知らせる必要がある。この際、ＩＤコード信号を受信した交信器１６から、当該端末器１４に向けて警告信号を送信して、端末器１４は警告信号を受信すると、図６（Ｂ）のようにモニタ２０にメッセージを表示するほか、スピーカ２２からチャイムなどを鳴らすこともできる。
【００２８】
さらにコンピュータ１１は、当該火葬炉２の扉開閉装置２４に、扉２３が開くことを禁止する指令を送る。そのため係員１０が端末器１４からの警報に気づかず、図６（Ａ）の扉開閉装置２４に組み込まれたスイッチを操作して扉２３を開けようとした場合でも、扉２３は開かない。これは図の棺用の台車１２のほか、火葬後に遺骨を回収する収骨用の台車１３も同様である。なお告別室３や収骨室４に入る際に誤認があった場合は、端末器１４から係員１０に警報が発せられるだけである。
【００２９】
図７は、本発明の概要を示す流れ図である。始業時はまず最初に台車１２，１３に装備された端末器１４の電源を投入する。次にコンピュータ１１は当日の運行計画を、送信器１５を介して端末器１４に送信する。端末器１４はこれを受信して、自らの運行計画を記憶すると共に、これをモニタ２０に表示する。以降は運行計画に沿って儀式が進行していき、その間、台車１２，１３は自らのＩＤコード信号を連続的に送信しており、交信器１６はこれを監視しており、不正な接近があった場合、端末器１４から警報を発したり火葬炉２の扉２３を開かないようにして、係員１０の誤認を防止する。そして終業時にコンピュータ１１と端末器１４の電源を切ると、この流れ図が終了する。
【図面の簡単な説明】
【００３０】
【図１】本発明による斎場の構成例を示す平面図である。
【図２】コンピュータで管理される儀式に関する情報の例を示しており、（Ａ）はある一日に行われる儀式の一覧情報が記憶されているデータベースであり、（Ｂ）は（Ａ）のデータベースから棺用の台車の運行を抽出して、台車のＩＤコードを基準として構成された運行計画であり、（Ｃ）は収骨用の台車について、同様に構成された運行計画である。
【図３】本発明の概要を示す図で、（Ａ）は装置の構成であり、（Ｂ）は台車の構成である。
【図４】端末器に設置されたモニタの表示例を示す図で、（Ａ）は棺用の台車の場合であり、（Ｂ）は収骨用の台車の場合である。
【図５】図１に示す斎場に配置されたコンピュータと交信器などの構成を示す図である。
【図６】棺用の台車が火葬炉に接近した際の状況を示す図で、（Ａ）は状況を示す側面図であり、（Ｂ）は端末器のモニタの表示例である。
【図７】本発明の概要を示す流れ図である。
【符号の説明】
【００３１】
１  斎場
２  火葬炉
３  告別室
４  収骨室
５  保管庫
６  事務室
７  車寄せ
８  霊柩車
９  棺
１０  係員
１１  コンピュータ
１２  台車（棺用）
１３  台車（収骨用）
１４  端末器
１５  送信器
１６  交信器
１７  通信部
１８  記憶部
１９  管理部
２０  モニタ
２１  スイッチ
２２  スピーカ
２３  扉
２４  扉開閉装置
【図１】
2006215727.tif 000003
【図２】
2006215727.tif 000004
【図３】
2006215727.tif 000005
【図４】
2006215727.tif 000006
【図５】
2006215727.tif 000007
【図６】
2006215727.tif 000008
【図７】
2006215727.tif 000009